(57)【要約】  首振り装置（１００）及びタワーファンであり、この首振り装置（１００）は、支持ベースアセンブリと、支持ベースアセンブリに回動可能に設置され、モーターブラケット（１０）及び首振りアセンブリ（４０）を含む回動ベースアセンブリと、を含み、モーターブラケット（１０）には、モーター取付構造（１１）及び首振り取付構造（１３）が成形され、さらに、首振り装置（１００）は回動ベースアセンブリの首振りアセンブリ（４０）により首振り機能を実現するとともに、モーター取付構造（１１）及び首振り取付構造（１３）が回動ベースアセンブリのモーターブラケット（１０）に成形されているため、モーターブラケット（１０）だけで、タワーファンにおけるメインモーター（４００）及び首振りアセンブリ（４０）の取付を同時に実現することができ、首振りアセンブリ（４０）を取り付けるための回動ベースを個別に設置する必要がない。【選択図】図３
2021510405.tif 000002
【特許請求の範囲】
【請求項１】
支持ベースアセンブリと、
前記支持ベースアセンブリに回動可能に設置され、モーターブラケット（１０）及び首振りアセンブリ（４０）を含む回動ベースアセンブリと、を含み、
前記モーターブラケット（１０）には、タワーファンにおけるウィンドホイールの回動を駆動するメインモーター（４００）を取り付けるためのモーター取付構造（１１）と、前記首振りアセンブリ（４０）を取り付けるための首振り取付構造（１３）とが成形され、前記首振りアセンブリ（４０）は、それぞれ前記モーターブラケット（１０）及び前記支持ベースアセンブリに合わせて、前記回動ベースアセンブリを前記支持ベースアセンブリに対して揺動するように駆動することを特徴とする首振り装置。
【請求項２】
前記モーター取付構造（１１）は、前記メインモーター（４００）の形状にフィットし、かつ前記メインモーター（４００）を配置するためのモーター取付溝（１１１）と、前記メインモーター（４００）を前記モーター取付溝（１１１）に固定するためのモーター固定構造と、を含むことを特徴とする請求項１に記載の首振り装置。
【請求項３】
前記首振りアセンブリ（４０）は、前記首振りアセンブリ（４０）を運動するように駆動するための補助モーター（４１）を含み、前記首振り取付構造（１３）には、前記補助モーター（４１）の形状にフィットし、かつ前記補助モーター（４１）を取り付けるための収容溝（１３１）が成形されていることを特徴とする請求項１に記載の首振り装置。
【請求項４】
前記首振りアセンブリ（４０）は、四節リンク（４６）アセンブリと、底板（４２）及び前記底板（４２）に接続された底板軸（４２１）を含む底板アセンブリとをさらに含み、前記四節リンク（４６）アセンブリは、前記補助モーター（４１）の駆動軸に接続されたクランク（４５）と、一端が前記クランク（４５）に接続され、他端がロッカープレート（４７）に接続されたリンク（４６）と、前記底板軸（４２１）に外嵌されたロッカープレート（４７）と、を含み、前記首振り取付構造（１３）は、前記底板（４２）を取り付けるための取付台（１３２）をさらに含むことを特徴とする請求項３に記載の首振り装置。
【請求項５】
前記首振り装置（１００）は、前記支持ベースアセンブリと前記回動ベースアセンブリとの間に設置された回動合わせアセンブリをさらに含み、前記回動合わせアセンブリは、前記支持ベースアセンブリと前記回動ベースアセンブリとの間に設置され、転動体ホルダ（５１）及び前記転動体ホルダ（５１）に転動可能に設置された複数の転動体（５３）を含む転動体アセンブリ（５０）と、前記支持ベースアセンブリの前記転動体アセンブリ（５０）に向う側に固定設置され、前記転動体（５３）が転動して合わせる第１の環状レースウェイ（６１）を有する第１のガスケット（６０）と、前記回動ベースアセンブリの前記転動体アセンブリ（５０）に向う側に固定設置され、前記転動体（５３）が転動して合わせる第２の環状レースウェイ（７１）を有する第２のガスケット（７０）と、を含むことを特徴とする請求項１〜４のいずれか１項に記載の首振り装置。
【請求項６】
前記転動体ホルダ（５１）と前記支持ベースアセンブリとは、嵌合構造により固定されることを特徴とする請求項５に記載の首振り装置。
【請求項７】
前記第１のガスケット（６０）の２つの側面はそれぞれ前記転動体ホルダ（５１）及び前記支持ベースアセンブリに嵌合され、前記嵌合構造は、前記支持ベースアセンブリと前記第１のガスケット（６０）との間に設置された第１の嵌合構造と、前記第１のガスケット（６０）と前記転動体ホルダ（５１）との間に設置された第２の嵌合構造と、を含むことを特徴とする請求項６に記載の首振り装置。
【請求項８】
前記支持ベースアセンブリは、前記第１のガスケット（６０）を嵌め込むための取付キャビティを有し、前記第１の嵌合構造は、前記取付キャビティのキャビティ壁に設置された軸方向切り欠きと、前記第１のガスケット（６０）の縁部に設置され、かつ前記軸方向切り欠きに嵌め込むための径方向突出ブロックと、を含むことを特徴とする請求項７に記載の首振り装置。
【請求項９】
前記第２の嵌合構造は、前記転動体ホルダ（５１）の縁部に設置された軸方向突出ブロックと、前記第１のガスケット（６０）の縁部に設置され、かつ前記軸方向突出ブロックを嵌め込むための径方向切り欠きと、を含むことを特徴とする請求項７に記載の首振り装置。
【請求項１０】
請求項１〜９のいずれか１項に記載の首振り装置を含むことを特徴とするタワーファン。
【発明の詳細な説明】
【技術分野】
【０００１】
本願は家電機器の技術分野に関し、具体的には首振り装置及びタワーファンに関する。
本願は、２０１８年１月２９日に出願され、出願番号が２０１８１００８３３８０．８で、発明の名称が「首振り装置及びタワーファン」である中国特許出願の優先権を主張し、ここでは、その内容を全て参照により本願に組み込むものとする。
【背景技術】
【０００２】
タワーファンは、柱状デザインの新規なファンであり、独特な柱状デザインで、据え置きに必要な面積が小さく、消費者にますます好まれる。しかし、タワーファンは、胴体が長く、基部の占用する面積が小さい柱状デザインであるため、安定性が高くない。
【０００３】
首振り装置は、タワーファンの重要な部分として、タワーファンのハウジング内に取り付けられ、タワーファンが作動する際に、揺動することによりウィンドホイールを回動するように駆動して風の風向スイング吹き（掃風）を実現するが、首振り装置がタワーファンの底部に設置されているため、ウィンドホイールを揺動するように駆動力をタワーファンの最上部に伝える必要があり、タワーファンが首を振っている際に、首振り装置の不安定な揺動によりタワーファン本体が揺れやすくなり、タワーファンの安定性が低くなる。従来技術において、首振り装置は、主に、固定設置された固定ベースと、ベースに回動可能に設置された回動ベースと、回動ベースに伝動接続されたモーターホルダと、を含み、ここで、回動ベースには、固定ベースに合わせて回動ベースを固定ベースに対して揺動するように駆動する首振りアセンブリが設置され、モーターホルダには、ウィンドホイールに接続されてウィンドホイールを揺動するように駆動するモーターが設置されている。
【０００４】
上述の首振り装置は、首振り機能を実現することができるが、首振り機能を実現するための必要な部品が多く、一般的に部品同士に一定の誤差があるため、この誤差の累積による首振り装置全体の誤差が大きくなり、首振り装置の安定性が低くなって、タワーファン全体の安定性に影響を与える。
【発明の概要】
【発明が解決しようとする課題】
【０００５】
本願は、従来技術におけるタワーファンの安定性が低いという問題を解決又は少なくとも緩和するための首振り装置及びタワーファンを提供することを主な目的とする。
【課題を解決するための手段】
【０００６】
上述の目的を達成するために、本願は、
支持ベースアセンブリと、
前記支持ベースアセンブリに回動可能に設置され、モーターブラケット及び首振りアセンブリを含む回動ベースアセンブリと、を含み、
前記モーターブラケットには、タワーファンにおけるウィンドホイールの回動を駆動するメインモーターを取り付けるためのモーター取付構造と、前記首振りアセンブリを取り付けるための首振り取付構造とが成形され、前記首振りアセンブリは、それぞれ前記モーターブラケット及び前記支持ベースアセンブリに合わせて、前記回動ベースアセンブリを前記支持ベースアセンブリに対して揺動するように駆動する、首振り装置を提供する。
【０００７】
好ましくは、前記モーター取付構造は、前記メインモーターの形状フィットし、かつ前記メインモーターを配置するためのモーター取付溝と、前記メインモーターを前記モーター取付溝に固定するためのモーター固定構造と、を含む。
【０００８】
好ましくは、前記首振りアセンブリは、前記首振りアセンブリを運動するように駆動するための補助モーターを含み、前記首振り取付構造には、前記補助モーターの形状にフィットし、かつ前記補助モーターを取り付けるための収容溝が成形されている。
【０００９】
好ましくは、前記首振りアセンブリは、四節リンクアセンブリと、底板及び前記底板に接続された底板軸を含む底板アセンブリと、をさらに含み、前記四節リンクアセンブリは、前記補助モーターの駆動軸に接続されたクランクと、一端が前記クランクに接続され、他端がロッカープレートに接続されたリンクと、前記底板軸に外嵌されたロッカープレートと、を含み、前記首振り取付構造は、前記底板を取り付けるための取付台をさらに含む。
【００１０】
好ましくは、前記首振り装置は、前記支持ベースアセンブリと前記回動ベースアセンブリとの間に設置された回動合わせアセンブリをさらに含み、前記回動合わせアセンブリは、前記支持ベースアセンブリと前記回動ベースアセンブリとの間に設置され、転動体ホルダ及び前記転動体ホルダに転動可能に設置された複数の転動体を含む転動体アセンブリと、前記支持ベースアセンブリの前記転動体アセンブリに向う側に固定設置され、前記転動体が転動して合わせる第１の環状レースウェイを有する第１のガスケットと、前記回動ベースアセンブリの前記転動体アセンブリに向う側に固定設置され、前記転動体が転動して合わせる第２の環状レースウェイを有する第２のガスケットと、を含む。
【００１１】
好ましくは、前記転動体ホルダと前記支持ベースアセンブリとは、嵌合構造により固定される。
【００１２】
好ましくは、前記第１のガスケットの２つの側面はそれぞれ前記転動体ホルダ及び前記支持ベースアセンブリに嵌合され、前期嵌合構造は、前記支持ベースアセンブリと前記第１のガスケットとの間に設置された第１の嵌合構造と、前記第１のガスケットと前記転動体ホルダとの間に設置された第２の嵌合構造と、を含む。
【００１３】
好ましくは、前記支持ベースアセンブリは、前記第１のガスケットを嵌め込むための取付キャビティを有し、前記第１の嵌合構造は、前記取付キャビティのキャビティ壁に設置された軸方向切り欠きと、前記第１のガスケットの縁部に設置され、かつ上述軸方向切り欠きに嵌め込むための径方向突出ブロックと、を含む。
【００１４】
好ましくは、前記第２の嵌合構造は、前記転動体ホルダの縁部に設置された軸方向突出ブロックと、前記第１のガスケットの縁部に設置され、かつ前記軸方向突出ブロックを嵌め込むための径方向切り欠きと、を含む。
【００１５】
本願は、上述のような首振り装置を含むタワーファンをさらに提供する。
【発明の効果】
【００１６】
本願の技術的解決手段は、以下のような利点を有する。
本願による首振り装置及びタワーファンにおいて、首振り装置は、回動ベースアセンブリの首振りアセンブリにより首振り機能を実現するとともに、モーター取付構造及び首振り取付構造が回動ベースアセンブリのモーターブラケットに成形されているため、モーターブラケットだけで、タワーファンにおけるメインモーター及び首振りアセンブリの取付を同時に実現することができ、首振りアセンブリを取り付けるための回動ベースを個別に設置する必要がなく、このようにして、タワーファンの首振り機能に影響を与えないとともに、タワーファンの内部構造がよりコンパクトになり、首振り機能を実現するための必要な部品が減少され、さらに首振り装置全体の誤差が低減されて、タワーファン全体の安定性を向上させる。
【図面の簡単な説明】
【００１７】
本願の具体的な実施形態又は従来技術における技術的解決手段をより明確に説明するために、以下、具体的な実施形態又は従来技術の記述に必要とされる図面につて簡単に説明するが、以下説明される図面は本願のいくつかの実施形態に過ぎず、当業者にとって、創造的な労力を必要としない場合、これらの図面に基づいて他の図面を得ることができることが当然である。
【図１】本願の実施例によるタワーファンの構造概略図である。
【図２】図１に示されるタワーファンにおける首振り装置の構造概略図である。
【図３】図１に示されるタワーファンにおける首振り装置の断面構造概略図である。
【図４】図１に示されるタワーファンにおける首振り装置の分解構造概略図である。
【図５】図２に示される首振り装置における回動ベースアセンブリの構造概略図である。
【図６】図２に示される首振り装置におけるモーターブラケットの構造概略図である。
【図７】図５に示される回動ベースアセンブリにおける底板の構造概略図である。
【図８】図２に示される首振り装置における支持ベースアセンブリと回動合わせアセンブリとが合わせる構造概略図である。
【図９】図２に示される首振り装置における支持ベースアセンブリと回動合わせアセンブリとが合わせる分解構造概略図である。
【図１０】図２に示される首振り装置における支持ベースアセンブリの構造概略図である。
【発明を実施するための形態】
【００１８】
以下、図面を参照して本願の技術的解決手段を明瞭に、完全に説明するが、説明された実施例は本願の一部の実施例であり、全ての実施例ではないことが明らかである。本願の実施例に基づいて、当業者が創造的な労力を必要としなくて得られる全ての他の実施例は、いずれも本願の保護範囲に属する。
【００１９】
本願の説明において、用語「中心」、「上」、「下」、「左」、「右」、「鉛直」、「水平」、「内」、「外」などで表す方位又は位置関係は、図示に基づく方位又は位置関係であり、本願を説明し、かつ説明を簡潔にするためのものにすぎず、示される装置又は素子が特定の方位に制限され、特定の方位で構成し操作されることを指示又は暗示するものではないため、本願を限定するものとして理解すべきではない。また、用語「第１」、「第２」、「第３」は説明を目的としたものであり、相対的な重要性を指示又は暗示するものとして理解すべきではない。
【００２０】
（実施例１）
図１に示すように、本実施例の首振り装置１００は、タワーファンの一部として、タワーファンのベース３００上に取り付けられるとともに、タワーファンのハウジング２００の内部に位置し、かつハウジング２００に固定接続されている。
【００２１】
図２〜図６に示すように、本実施例の首振り装置１００は、支持ベースアセンブリ及び回動ベースアセンブリを含む。回動ベースアセンブリは、支持ベースアセンブリに回動可能に設置され、モーターブラケット１０及び首振りアセンブリ４０を含み、ここで、モーターブラケット１０には、タワーファンにおけるウィンドホイールの回動を駆動するメインモーター４００を取り付けるためのモーター取付構造１１と、首振りアセンブリ４０を取り付けるための首振り取付構造１３とが成形され、首振りアセンブリ４０は、それぞれモーターブラケット１０及び支持ベースアセンブリに合わせて、回動ベースアセンブリを支持ベースアセンブリに対して揺動するように駆動する。このように、本実施例の首振り装置１００において、首振り装置１００は回動ベースアセンブリの首振りアセンブリ４０により首振り機能を実現するとともに、モーター取付構造１１及び首振り取付構造１３が回動ベースアセンブリのモーターブラケット１０に成形されているため、モーターブラケット１０だけで、タワーファンにおけるメインモーター４００及び首振りアセンブリ４０の取付を同時に実現することができ、首振りアセンブリ４０を取り付けるための回動ベースを個別に設置する必要がなく、このようにして、タワーファンの首振り機能に影響を与えないとともに、タワーファンの内部構造がよりコンパクトになり、首振り機能を実現するための必要な部品が減少され、さらに、首振り装置１００全体の誤差が低減され、タワーファン全体の安定性を向上させる。
【００２２】
モーターブラケット１０について、モーターブラケット１０のモーター取付構造１１は、メインモーター４００の形状にフィットし、かつメインモーター４００を配置するためのモーター取付溝１１１を含む。具体的には、メインモーター４００は、モーターブラケット１０の上端に取り付けられ、ウィンドホイールを駆動し、対応されるモーター取付溝１１１はモーターブラケット１０の上端に成形されている。モーター取付構造１１は、メインモーター４００をモーター取付溝１１１に固定するためのモーター固定構造をさらに含み、モーター固定構造は、具体的にはネジ柱であり、ネジはメインモーター４００のネジ孔とモーターブラケット１０のネジ柱を通過して、メインモーター４００をモーターブラケット１０に固定する。勿論、モーター固定構造は係止バックル構造であってもよく、メインモーター４００を係止バックルによりモーターブラケット１０に固定する。
【００２３】
図５及び図６に示すように、本実施例の首振りアセンブリ４０は、首振りアセンブリ４０を運動するように駆動するための補助モーター４１を含み、モーターブラケット１０の首振り取付構造１３は、補助モーター４１の形状にフィットし、かつ補助モーター４１を取り付けるための収容溝１３１を含み、首振りアセンブリ４０はモーターブラケット１０の下端に取り付けられ、収容溝１３１はモーターブラケット１０の底部に成形されている。
【００２４】
さらに、図５〜図７を参照すると、本実施例の首振りアセンブリ４０は、四節リンク４６アセンブリと、底板４２及び底板４２に接続された底板軸４２１を含む底板アセンブリと、をさらに含み、四節リンク４６アセンブリは、補助モーター４１の駆動軸に接続されたクランク４５と、一端がクランク４５に接続され、他端がロッカープレート４７に接続されたリンク４６と、を含み、ロッカープレート４７は、固定ベースに合わせる底板軸４２１に外嵌され、上述の四節リンク４６アセンブリと底板アセンブリとの合わせにより、首振りアセンブリ４０の回動機能が実現され、補助モーター４１が作動する際に、タワーファンのモーターブラケット１０を固定ベースに対して回動するように駆動し、タワーファンのモーターブラケット１０は可動ハウジング２００に固定されているため、さらに、可動ハウジング２００の固定ベースに対する回動を実現し、本実施例における対応される首振り取付構造１３は、底板４２を取り付けるための取付台１３２をさらに含み、取付台１３２は、首振りアセンブリ４０の底板４２に合わせることによって、首振りアセンブリ４０の取付を実現する。
【００２５】
モーターブラケット１０のハウジング２００への取付方法について、具体的には、ブラケット本体に、モーターブラケット１０に設置されたラグを含むブラケット取付構造が成形され、ラグは、ネジ式締結具により可動ハウジング２００に固定接続され、具体的には、ネジ式締結具により固定接続され、これにより、モーターブラケット１０の可動ハウジング２００への取付を実現する。
【００２６】
さらに、図４及び図８〜図１０を参照すると、首振り装置１００は、支持ベースアセンブリと回動ベースアセンブリとの間に設置された回動合わせアセンブリをさらに含み、回動合わせアセンブリは、支持ベースアセンブリと回動ベースアセンブリとの間に設置され、転動体ホルダ５１及び転動体ホルダ５１に転動可能に設置された複数の転動体５３を含む転動体アセンブリ５０と、支持ベースアセンブリの転動体アセンブリ５０に向う側に固定設置され、転動体５３が転動して合わせる第１の環状レースウェイ６１を有する第１のガスケット６０と、回動ベースアセンブリの転動体アセンブリ５０に向う側に固定設置され、転動体５３が転動して合わせる第２の環状レースウェイ７１を有する第２のガスケット７０と、を含む。
【００２７】
転動体アセンブリ５０は、支持ベースアセンブリに固定設置され、支持ベースアセンブリと回動ベースアセンブリとは、転動体アセンブリ５０により回動可能に接続され、転動体アセンブリ５０の両側にはそれぞれ第１のガスケット６０及び第２のガスケット７０が設置され、第１のガスケット６０と第２のガスケット７０のいずれにも転動体５３に合わせる環状レースウェイが設けられ、ガスケットは、転動体５３に合わせる部品の耐摩耗性を向上させるために、耐摩耗性材料で製造されてもよく、一方、別個に設置されたガスケットは、加工しやすく、かつ環状レースウェイの成形精度に有利であり、第１のガスケット６０と第２のガスケット７０の環状レースウェイの一致性を高め、第２のガスケット７０は、回動ベースアセンブリに固定設置され、支持ベースアセンブリ及び回動ベースアセンブリを取り付ける際に、第２のガスケット７０の環状レースウェイと第１のガスケット６０の環状レースウェイに設置された転動体５３とを合わせることにより、回動ベースアセンブリの回動中心がずれないように保証し、回動ベースアセンブリの回動中心をその転動体アセンブリ５０との合わせの重心と重ねることにより、回動ベースと転動体５３との合わせの重心がずれることによる揺れを回避し、タワーファン全体の安定性をさらに向上させる。
【００２８】
回動合わせアセンブリの取付方法について、具体的には、回動合わせアセンブリにおける転動体ホルダ５１は支持ベースアセンブリに嵌合構造により固定される。第１のガスケット６０の２つの側面はそれぞれ転動体ホルダ５１及び支持ベースアセンブリに嵌合され、嵌合構造は、支持ベースアセンブリと第１のガスケット６０との間に設置された第１の嵌合構造と、第１のガスケット６０と転動体ホルダ５１との間に設置された第２の嵌合構造と、を含む。支持ベースアセンブリは、第１のガスケット６０を嵌め込むための取付キャビティを有し、第１の嵌合構造は、取付キャビティのキャビティ壁に設置された軸方向切り欠きと、第１のガスケット６０の縁部に設置され、かつ軸方向切り欠きに嵌め込むための径方向突出ブロックと、を含む。第２の嵌合構造は、転動体ホルダ５１の縁部に設置された軸方向突出ブロックと、第１のガスケット６０の縁部に設置され、かつ軸方向突出ブロックを嵌め込むための径方向切り欠きと、を含み、上述の構造を採用して、回動合わせアセンブリの取付を確実に実現し、タワーファンの取付の信頼性を保証することができる。
【００２９】
さらに図９を参照すると、具体的には、支持体３０アセンブリは、位置制限溝３３を有する支持体３０を含み、第１のガスケット６０は、位置制限リブ６３を有し、支持体３０に合わせて取り付けられ、転動体ホルダ５１は、ボールが取り付けられ、特徴として係止バックル及び縦リブを有し、転動体ホルダ５１が取り付けられた後に、係止バックルが第１のガスケット６０の貫通孔６５を通過して支持体３０の係止溝３１に係止され、縦リブは第１のガスケット６０の縦方向溝に嵌め込む。第２のガスケット７０は、転動体ホルダ５１を押し付け、ボールに対して相対的に回動することができる。
【００３０】
好ましくは、実施例の首振り装置１００は、支持体３０アセンブリの底部に設置されたプラスチックスリーブ９１をさらに含み、プラスチックスリーブ９１は、底板軸４２１を通過して支持体３０の内部に取り付けられ、ワッシャはその後ろに配置され、スプリットワッシャーが底板軸４２１の円周溝に係止されることで、プラスチックスリーブ９１が支持体３０の内部に制限され、ワイヤースリーブは底板軸４２１の円周溝に係止され、内部のワイヤーが底板軸４２１の鋭利な縁に当たらないように保護する。支持体３０は、内部にプラスチックスリーブ９１があるため、底板軸４２１と合わせる際の隙間は非常に小さく、さらにタワーファン全体の安定性を向上させる。そして、揺れに影響を与えることなく、支持体３０の中心孔と底板軸４２１との合わせの隙間が適度大きくなってもいいため、この部品の加工精度に対する制御要求が低くなる。
【００３１】
（実施例２）
本実施例は、上述のような首振り装置１００を含むタワーファンを提供し、本実施例のタワーファンは首振り装置１００の利点を同様に備え、ここでは詳述しない。
【００３２】
明らかに、上述の実施例は実施形態を限定するためのものではなく、明確に説明するために例示されたものに過ぎない。当業者にとって、上述の説明に基づいてさらにその他の形式の変化又は変更を行うことができる。ここでは全ての実施形態を網羅することができない。これから導出された明らかな変形または変更は本願の保護範囲内に含まれるべきである。
【符号の説明】
【００３３】
上述の図面における符号は以下のようである。
１００  首振り装置
２００  ハウジング
３００  ベース
４００  メインモーター
１０  モーターブラケット
１１  モーター取付構造
１１１  モーター取付溝
１３  首振り取付構造
１３１  収容溝
１３２  取付台
３０  支持体
３１  係止溝
３３  位置制限溝
４０  首振りアセンブリ
４１  補助モーター
４２  底板
４２１  底板軸
４５  クランク
４６  リンク
４７  ロッカープレート
５０  転動体アセンブリ
５１  転動体ホルダ
５３  転動体
６０  第１のガスケット
６１  第１の環状レースウェイ
６３  位置制限リブ
６５  貫通孔
７０  第２のガスケット
７１  第２の環状レースウェイ
９１  プラスチックスリーブ
【図１】
2021510405.tif 000003
【図２】
2021510405.tif 000004
【図３】
2021510405.tif 000005
【図４】
2021510405.tif 000006
【図５】
2021510405.tif 000007
【図６】
2021510405.tif 000008
【図７】
2021510405.tif 000009
【図８】
2021510405.tif 000010
【図９】
2021510405.tif 000011
【図１０】
2021510405.tif 000012
【国際調査報告】
2021510405.tif 000013
2021510405.tif 000014
2021510405.tif 000015
2021510405.tif 000016